(57)【要約】【課題】複数の情報が表示された操作画面で簡単に複数の情報を処理対象として選択することが可能な携帯端末及び選択処理方法を提供すること。【解決手段】携帯端末１０の振る動作及び振られた方向を検出した場合に、携帯端末１１の振られた方向と操作表示部１３で検出されているタッチ操作で選択されている情報の位置とに応じて一又は複数の情報を処理対象として選択し、又は、操作表示部１３で検出されているタッチ操作で選択されている情報を除く他の情報を処理対象として選択する。【選択図】図３
2015228063.tif 000002
【特許請求の範囲】
【請求項１】
携帯端末を振る動作及び振られた方向を検出する動作検出部と、
複数の情報を選択候補として表示部に表示させる表示処理部と、
前記情報を選択するタッチ操作を検出するタッチ検出部と、
前記動作検出部により前記携帯端末の振る動作が検出された場合に、前記動作検出部により検出された前記携帯端末の振られた方向と前記タッチ検出部で検出されているタッチ操作で選択されている前記情報の位置とに応じて一又は複数の前記情報を処理対象として選択する選択処理部と、
を備える携帯端末。
【請求項２】
前記選択処理部が、前記タッチ検出部で検出されているタッチ操作で選択されている前記情報よりも前記携帯端末の振られた方向に位置する他の前記情報を処理対象として選択する請求項１に記載の携帯端末。
【請求項３】
前記動作検出部が、前記動作検出部により検出される前記携帯端末の振る動作の加速度又は移動量が予め定められた量以上である場合に、前記携帯端末の振る動作が行われたと判断する請求項１又は２に記載の携帯端末。
【請求項４】
前記選択処理部が、前記動作検出部により前記携帯端末の振る動作が検出された後、予め定められた待機時間が経過するまでの間は、次の前記動作検出部による前記携帯端末の振る動作の検出時における前記情報の選択を実行しない請求項１〜３のいずれかに記載の携帯端末。
【請求項５】
携帯端末を振る動作を検出する動作検出部と、
複数の情報を選択候補として表示部に表示させる表示処理部と、
前記情報を選択するタッチ操作を検出するタッチ検出部と、
前記動作検出部により前記携帯端末の振る動作が検出された場合に、前記タッチ検出部で検出されているタッチ操作で選択されている前記情報を除く他の前記情報を処理対象として選択する選択処理部と、
を備える携帯端末。
【請求項６】
前記選択処理部が、選択した一又は複数の前記情報を削除する請求項１〜５に記載の携帯端末。
【請求項７】
前記選択処理部が、前記選択処理部により選択された一又は複数の前記情報の削除の要否を確認する確認メッセージを表示させた後、更に前記動作検出部により前記携帯端末の振る動作が検出された場合に、前記選択処理部により選択された一又は複数の前記情報を削除する請求項６に記載の携帯端末。
【請求項８】
複数の情報を選択候補として表示部に表示させる表示処理部と、前記情報を選択するタッチ操作を検出するタッチ検出部とを備える携帯端末で実行される選択処理方法であって、
前記携帯端末の振る動作及び振られた方向を検出するステップと、
前記ステップにより前記携帯端末の振る動作が検出された場合に、前記携帯端末の振られた方向と前記タッチ検出部で検出されているタッチ操作で選択されている前記情報の位置とに応じて一又は複数の前記情報を処理対象として選択するステップと、
を含む選択処理方法。
【請求項９】
複数の情報を選択候補として表示部に表示させる表示処理部と、前記情報を選択するタッチ操作を検出するタッチ検出部とを備える携帯端末で実行される選択処理方法であって、
前記携帯端末の振る動作を検出するステップと、
前記ステップにより前記携帯端末の振る動作が検出された場合に、前記タッチ検出部で検出されているタッチ操作で選択されている前記情報を除く他の前記情報を処理対象として選択するステップと、
を含む選択処理方法。
【請求項１０】
前記ステップで選択された一又は複数の前記情報を削除するステップを更に備える請求項８又は９に記載の選択処理方法。
【発明の詳細な説明】
【技術分野】
【０００１】
本発明は、情報の選択処理が行われる携帯端末及び携帯端末における選択処理方法に関する。
【背景技術】
【０００２】
ＰＤＡなどの携帯端末などにおいて、操作画面に表示された複数の情報から削除処理などの処理対象となる複数の情報を選択した後、その選択された情報が一の操作に応じて一挙に削除可能な構成が知られている（例えば、特許文献１参照）。
【先行技術文献】
【特許文献】
【０００３】
【特許文献１】特開２００４−３８３０８号公報
【発明の概要】
【発明が解決しようとする課題】
【０００４】
しかしながら、携帯端末に表示される操作画面上で、複数の情報を処理対象として選択するためには複数の操作が必要となり、その操作が煩わしいことが問題となる。
【０００５】
本発明の目的は、複数の情報が表示された操作画面で簡単に複数の情報を処理対象として選択することが可能な携帯端末及び選択処理方法を提供することにある。
【課題を解決するための手段】
【０００６】
本発明の一の局面に係る携帯端末は、動作検出部と、表示処理部と、タッチ検出部と、選択処理部とを備える。前記動作検出部は、携帯端末を振る動作及び振られた方向を検出する。前記表示処理部は、複数の情報を選択候補として表示部に表示させる。前記タッチ検出部は、前記情報を選択するタッチ操作を検出する。前記選択処理部は、前記動作検出部により前記携帯端末の振る動作が検出された場合に、前記動作検出部により検出された前記携帯端末の振られた方向と前記タッチ検出部で検出されているタッチ操作で選択されている前記情報の位置とに応じて一又は複数の前記情報を処理対象として選択する。
【０００７】
本発明の他の局面に係る携帯端末は、動作検出部と、表示処理部と、タッチ検出部と、選択処理部とを備える。前記動作検出部は、携帯端末を振る動作を検出する。前記表示処理部は、複数の情報を選択候補として表示部に表示させる。前記タッチ検出部は、前記情報を選択するタッチ操作を検出する。前記選択処理部は、前記動作検出部により前記携帯端末の振る動作が検出された場合に、前記タッチ検出部で検出されているタッチ操作で選択されている前記情報を除く他の前記情報を処理対象として選択する。
【０００８】
本発明の他の局面に係る選択処理方法は、複数の情報を選択候補として表示部に表示させる表示処理部と、前記情報を選択するタッチ操作を検出するタッチ検出部とを備える携帯端末で実行される選択処理方法である。前記選択処理方法は、前記携帯端末の振る動作及び振られた方向を検出するステップと、前記ステップにより前記携帯端末の振る動作が検出された場合に、前記携帯端末の振られた方向と前記タッチ検出部で検出されているタッチ操作で選択されている前記情報の位置とに応じて一又は複数の前記情報を処理対象として選択するステップとを含む。
【０００９】
本発明の他の局面に係る選択処理方法は、複数の情報を選択候補として表示部に表示させる表示処理部と、前記情報を選択するタッチ操作を検出するタッチ検出部とを備える携帯端末で実行される選択処理方法である。前記選択処理方法は、前記携帯端末の振る動作を検出するステップと、前記ステップにより前記携帯端末の振る動作が検出された場合に、前記タッチ検出部で検出されているタッチ操作で選択されている前記情報を除く他の前記情報を処理対象として選択するステップとを含む。
【発明の効果】
【００１０】
本発明によれば、複数の情報が表示された操作画面で簡単に複数の情報を処理対象として選択することが可能な携帯端末及び選択処理方法が実現される。
【図面の簡単な説明】
【００１１】
【図１】図１は、本発明の実施形態に係る携帯端末の構成を示すブロック図である。
【図２】図２は、本発明の実施形態に係る携帯端末で実行される情報選択処理の一例を示すフローチャート。
【図３】図３（Ａ）、図３（Ｂ）、及び図３（Ｃ）は、本発明の第１の実施形態に係る携帯端末で実行される情報選択処理の実行結果の一例を示す図。
【図４】図４（Ａ）、図４（Ｂ）、及び図４（Ｃ）は、本発明の第３の実施形態に係る携帯端末で実行される情報選択処理の実行結果の一例を示す図。
【図５】図５（Ａ）、図５（Ｂ）、及び図５（Ｃ）は、本発明の第４の実施形態に係る携帯端末で実行される情報選択処理の実行結果の一例を示す図。
【発明を実施するための形態】
【００１２】
［第１の実施形態］
以下、添付図面を参照しながら本発明の実施の形態について説明し、本発明の理解に供する。なお、以下の実施の形態は、本発明を具体化した一例であって、本発明の技術的範囲を限定する性格のものではない。また、以下で説明する各実施形態の内容は適宜組み合わせることも可能である。
【００１３】
＜携帯端末１０＞
まず、図１を参照しつつ、本発明の実施の形態に係る携帯端末１０の構成について説明する。
【００１４】
携帯端末１０は、図１に示すように、制御部１１、記憶部１２、操作表示部１３、通信部１４、及び動作検出センサー１５などを備える。携帯端末１０は、ユーザーによって持ち運ばれる移動通信端末であって、例えばスマートフォン、携帯電話、タブレット端末、又はＰＤＡ等である。
【００１５】
制御部１１は、不図示のＣＰＵ、ＲＯＭ、ＲＡＭ、及びＥＥＰＲＯＭなどの制御機器を備え、ＲＯＭに記憶されている制御プログラムをＣＰＵを用いて実行することにより、携帯端末１０の動作を制御する。なお、制御部１１は、集積回路（ＡＳＩＣ）などの電子回路であってもよい。
【００１６】
記憶部１２は、フラッシュメモリー等の不揮発性の記憶部であり、制御部１１は、記憶部１２に対するデータの読み書きが可能である。具体的に、記憶部１２には、制御部１１によって実行される各種の制御プログラムが記憶される。また、記憶部１２には、メール、文書、表、画像、又は写真などの各種コンテンツの情報が記憶される。
【００１７】
操作表示部１３は、制御部１１からの制御指示に基づいて各種の情報を表示する液晶ディスプレーなどの表示部と、前記表示部に表示されている操作キーのユーザーによるタッチ操作を検出するタッチパネルを含む操作部とを備える。なお、操作表示部１３が表示部及びタッチ検出部の一例である。
【００１８】
通信部１４は、外部機器との間で、予め定められた無線通信規格に従って通信処理を実行する。具体的に、通信部１４は、外部通信機器との間でＢｌｕｅｔｏｏｔｈ（登録商標）による無線通信を実行可能である。また、通信部１４は、ＮＦＣ（Ｎｅａｒ  Ｆｉｅｌｄ  Ｃｏｍｍｕｎｉｃａｔｉｏｎ）などの他の近距離無線通信規格、又はＩＥＥＥ規格などの無線ＬＡＮ規格に従って通信可能であってもよい。
【００１９】
動作検出センサー１５は、例えば携帯端末１０の水平方向及び鉛直方向（上下左右方向又は前後方向）への動きを検出する３軸型の加速度センサーであり、携帯端末１０を振る動作の有無及び振られた方向を検出する。なお、動作検出センサー１５は、携帯端末１０を振る動作を検出することができれば、一又は複数の振動センサー、加速度センサー、又は変位センサー等を用いてもよい。
【００２０】
ところで、携帯端末１０では、携帯端末１０に表示される操作画面上で、複数の情報を処理対象として選択することがある。このとき、複数の情報を処理対象として選択するために複数の操作を要する場合には、その操作が煩わしいことが問題となる。これに対し、本実施形態に係る携帯端末１０では、以下に説明するように、複数の情報が表示された操作画面で簡単に複数の情報を処理対象として選択することが可能である。
【００２１】
具体的に、制御部１１は、前記ＲＯＭに記憶されている制御プログラムを前記ＣＰＵを用いて実行することにより、動作検出部１１１、表示処理部１１２、及び選択処理部１１３として機能する。
【００２２】
動作検出部１１１は、動作検出センサー１５を用いて、携帯端末１０を振る動作の有無及び振られた方向を検出するための処理を実行する。表示処理部１１２は、複数の情報を選択候補として操作表示部１３に表示させる。選択処理部１１３は、一又は複数の情報を処理対象として選択し、予め定められた削除処理又は印刷処理などの各種の処理を実行する。
【００２３】
［情報選択処理］
以下、図２のフローチャートを参照しつつ、印刷システム１において、制御部１１が制御プログラムに従って実行する情報選択処理の手順の一例について説明する。前記情報選択処理は、例えば、携帯端末１０において各種の情報を参照するための操作などのように処理対象の候補となる情報の一覧が表示される操作が行われた場合に制御部１１によって実行される。以下では、処理内容として削除処理が選択された場合に制御部１１によって実行される情報選択処理を例に挙げて説明する。なお、本発明は、制御部１１によって情報選択処理の各手順を実行する選択処理方法の発明として捉えることも可能である。
【００２４】
＜ステップＳ１１＞
まず、ステップＳ１１において、制御部１１は、一又は複数の情報を処理対象として選択するための選択画面を操作表示部１３に表示させる。なお、前記選択画面には、一又は複数の情報が選択候補として表示される。このステップＳ１１の処理は、制御部１１の表示処理部１１２によって実行される。
【００２５】
具体的に、制御部１１は、携帯端末１０の記憶部１２に記憶されている情報を選択候補として操作表示部１３に表示させることが可能である。また、例えばメールの送受信を実行するソフトウェアを実行することにより複数のメールを選択候補として表示させることも可能である。
【００２６】
ここに、図３は、前記選択画面の一例を示す図である。図３（Ａ）に示す例では、操作表示部１３に、削除処理の処理対象となる一又は複数の情報の選択候補が表示される候補表示領域１３１が表示されている。具体的に、図３（Ａ）に示す例では、候補表示領域１３１に、「００１．ｊｐｇ」、「００２．ｄｏｃ」、「００３．ｇｉｆ」、「００４．ｘｌｓ」、及び「００５．ｊｐｇ」の５つの情報が表示されている。また、図３（Ａ）に示す例では、情報のうち「００２．ｄｏｃ」の情報が、ユーザーによるタッチ操作で選択されている状態を示している。
【００２７】
＜ステップＳ１２＞
次に、ステップＳ１２において、制御部１１は、携帯端末１０を振る動作が動作検出センサー１５で検出されたか否かを判断する。なお、このステップＳ１２の処理は、制御部１１の動作検出部１１１によって実行される。ここで、携帯端末１０を振る動作とは、例えば携帯端末１０を一方向に移動させる動作、又は携帯端末１０を一方向に移動させた後引き戻す一連の往復動作であることが考えられる。また、制御部１１は、携帯端末１０を複数回往復移動させる動作を振る動作として認識してもよい。そして、制御部１１は、携帯端末１０を振る動作が検出されたと判断すると（Ｓ１２のＹｅｓ側）、処理をステップＳ１３に移行させる。一方、携帯端末１０を振る動作が検出されていないと判断している間（Ｓ１２のＮｏ側）、制御部２１はステップＳ１２の判断処理を繰り返し実行する。
【００２８】
また、ステップＳ１２において、制御部１１は、動作検出部１１１により動作検出センサー１５を用いて検出される携帯端末１０の振る動作の加速度又は移動量が予め定められた量以上である場合に、携帯端末１０の振る動作が行われたと判断することが考えられる。これにより、携帯端末１０を振られる前に携帯端末１０が実際に振りたい方向とは反対方向に少しだけ引かれるような場合にも、その振られた方向を検出することなく、実際にユーザーが振りたい方向の動作を検出することが可能となる。
【００２９】
＜ステップＳ１３＞
そして、ステップＳ１３において、制御部１１は、操作表示部１３で現在選択中の情報に応じて処理対象となる情報を選択する。具体的に、制御部１１は、携帯端末１０の振る動作が検出された時点で操作表示部１３で選択されている情報の位置と動作検出部１１１で検出された携帯端末１０の振られた方向とに応じて、一又は複数の情報を処理候補として選択する。このステップＳ１３の処理は、制御部１１の選択処理部１１２で実行される。
【００３０】
例えば、制御部１１は、操作表示部１３で検出されているタッチ操作で選択されている情報よりも携帯端末１０の振られた方向に位置する他の情報を処理対象として選択する。即ち、図３（Ａ）に示されている操作状態で、図３（Ｂ）に示すように携帯端末１０の下方向Ｒ１への振る動作が検出された場合には、操作表示部１３で選択されていた「００２．ｄｏｃ」よりも前記下方向Ｒ１に表示されている「００３．ｇｉｆ」、「００４．ｘｌｓ」、及び「００５．ｊｐｇ」の３つの情報が処理対象として選択された状態となる。また、例えば携帯端末１０が前記下方向Ｒ１とは反対の上方向に振られた場合には、「００２．ｄｏｃ」よりも上方向に表示されている「００１．ｊｐｇ」のみが表示されることになる。
【００３１】
なお、本実施形態では、操作表示部１３の前記操作画面に収っている情報のうち、操作表示部１３で選択されていた「００２．ｄｏｃ」よりも前記下方向Ｒ１に表示されている情報が処理対象として選択される場合について説明する。即ち、操作表示部１３に表示されている前記操作画面に収っておらずスクロール等によって表示可能な情報については、処理対象として選択されない。一方、操作表示部１３に現在表示されておらずスクロール等によって表示可能な情報についても、操作表示部１３で選択されていた「００２．ｄｏｃ」よりも前記下方向Ｒ１に表示されている情報についてはその全てが処理対象として選択されることも考えられる。
【００３２】
また、制御部１１は、ステップＳ１２で検出される携帯端末１０の振る動作が携帯端末１０の往復動作である場合には、例えば最初に携帯端末１０が移動した方向を振られた方向として検出する。なお、この場合、制御部１１は、動作検出センサー１５を用いて検出される携帯端末１０の振る動作の加速度又は移動量が予め定められた量以上である場合に、その移動の方向を、最初に携帯端末１０が移動した方向として認識する。
【００３３】
＜ステップＳ１４＞
その後、ステップＳ１４において、制御部１１は、ステップＳ１３で選択された情報についての処理の実行の要否を確認するための確認メッセージを操作表示部１３に表示させる。例えば、前記確認メッセージは、図３（Ｂ）に示すように、「情報を削除する場合は端末を振って下さい。」のような内容である。これにより、ユーザーは、選択された情報と、その情報に対して実行される処理内容とを確認することが可能であり、誤って処理が実行されることが抑止される。
【００３４】
＜ステップＳ１５＞
次に、ステップＳ１５において、制御部１１は、ステップＳ１４で表示されている確認メッセージに対して予め定められた確認操作が実行されたか否かを判断する。具体的に、前記確認操作は、携帯端末１０を振る動作が再度行われることである。なお、このとき制御部１１は、携帯端末１０の振る動作の有無だけを判断し、携帯端末１０が振られた方向を判断しなくてもよい。
【００３５】
ここで、制御部１１は、前記確認操作が実行されたと判断すると（Ｓ１５のＹｅｓ側）、処理をステップＳ１６に移行させる。一方、前記確認操作が実行されていないと判断している間（Ｓ１５のＮｏ側）、制御部２１はステップＳ１５の判断処理を繰り返し実行する。また、制御部１１は、予め定められたキャンセル操作が実行された場合には、処理をステップＳ１１に戻す。なお、前記キャンセル操作は、前記操作画面に表示された戻るキー１３２の操作であることが考えられる。
【００３６】
＜ステップＳ１６＞
そして、ステップＳ１６において、制御部１１は、ステップＳ１３で選択された情報を処理対象として、予め定められた削除処理などの処理を実行する。例えば、図３（Ｂ）に示されている操作状態で、携帯端末１０の振る動作が検出された場合には、図３（Ｃ）に示すように、処理対象として選択されていた「００３．ｇｉｆ」、「００４．ｘｌｓ」、及び「００５．ｊｐｇ」の３つの情報が削除される。このステップＳ１４の処理は、制御部１１の選択処理部１１２で実行される。
【００３７】
なお、本実施形態では、選択された情報を処理対象として削除処理が実行される場合を例に挙げて説明するがこれに限らない。例えば、ステップＳ１６において、選択された情報を処理対象として印刷処理、コピー処理、切取処理、移動処理、メール送信処理、又はファクシミリ送信処理などの他の処理が実行されることも考えられる。また、本実施形態では、処理対象が携帯端末１０の記憶部１２に記憶されている情報である場合について説明したがこれに限らない。例えば、携帯端末１０が、パーソナルコンピューター、画像形成装置、又はテレビジョン受像機などの外部装置との間で通信可能である場合、制御部１１は、前記外部装置に記憶されている情報を処理対象として選択することも考えられる。
【００３８】
以上説明したように、携帯端末１０では、ユーザーが、複数の情報を選択するために複数の操作を要することなく、携帯端末１０を振る動作によって簡単且つスムーズに処理対象を選択することができる。
【００３９】
［第２の実施形態］
前記実施形態では、ステップＳ１６における削除処理の実行前に、ステップＳ１４〜ステップＳ１５が実行され、ユーザーの操作の正否が確かめられる場合を例に挙げて説明した。一方、ステップＳ１４〜ステップＳ１５が省略されることも他の実施形態として考えられる。即ち、ステップＳ１２で携帯端末１０の振る動作が検出された場合には、その際にステップＳ１３で処理対象として選択される情報について削除処理などの処理が即時に実行されることが考えられる。
【００４０】
さらに、この場合、制御部１１は、動作検出部１１１により携帯端末１０の振る動作が検出された後、予め定められた待機時間が経過するまでの間は、次の動作検出部１１１による携帯端末１０の振る動作の検出時における情報の選択及び削除を実行しないことが考えられる。換言すれば、制御部１１は、携帯端末１０が振られて情報の削除を行った後、前記待機時間が経過した後に携帯端末１０が振られた場合には情報の選択及び削除を実行する。これにより、携帯端末１０を一方向に振った後、その携帯端末１０を戻す動作の際に誤って情報が削除されることが防止される。
【００４１】
また、制御部１１は、動作検出部１１１により携帯端末１０の振る動作が検出された後、操作表示部１３のタッチ操作が解除され、その後に再度タッチ操作が行われるまでの間は、次の動作検出部１１１による携帯端末１０の振る動作の検出時における情報の選択及び削除を実行しないことも考えられる。この場合にも、携帯端末１０を一方向に振った後、その携帯端末１０を戻す動作の際に誤って情報が削除されることが防止される。
【００４２】
［第３の実施形態］
以下、第３の実施形態及び第４の実施形態では、図４を参照しつつ、前記ステップＳ１１で表示される前記選択画面及び前記ステップＳ１３における選択処理の他の例について説明する。
【００４３】
図４（Ａ）に示す例では、操作表示部１３に、処理対象となる一又は複数の情報の選択候補が表示される候補表示領域１３１が表示されている。具体的に、図４（Ａ）に示す例では、候補表示領域１３１に、「００１．ｊｐｇ」、「００２．ｄｏｃ」、「００３．ｇｉｆ」、「００４．ｘｌｓ」、「００５．ｊｐｇ」、「００６．ｐｄｆ」、「００７．ｄｏｃ」、「００８．ｄｏｃ」、及び「００９．ｄｏｃ」の９つの情報が表示されている。また、図４（Ａ）に示す例では、情報のうち「００２．ｄｏｃ」の情報が、ユーザーによるタッチ操作で選択されている状態を示している。
【００４４】
次に、図４（Ａ）に示されている操作状態で、図４（Ｂ）に示すように携帯端末１０の下方向Ｒ１への振る動作が検出された場合には、操作表示部１３で選択されていた「００２．ｄｏｃ」よりも前記下方向Ｒ１に表示されている 「００４．ｘｌｓ」、「００５．ｊｐｇ」、「００６．ｐｄｆ」、「００７．ｄｏｃ」、「００８．ｄｏｃ」、及び「００９．ｄｏｃ」の６つの情報が処理対象として選択された状態となる。なお、操作表示部１３により「００２．ｄｏｃ」が選択された状態で携帯端末１０が下方向Ｒ１に振られた場合の選択手法として、「００２．ｄｏｃ」より表示順が下位である「００３．ｇｉｆ」、「００４．ｘｌｓ」、「００５．ｊｐｇ」、「００６．ｐｄｆ」、「００７．ｄｏｃ」、「００８．ｄｏｃ」、及び「００９．ｄｏｃ」の７つの情報が選択されることも考えられる。
【００４５】
そして、図４（Ｂ）に示されている操作状態で、携帯端末１０の振る動作が検出された場合には、図４（Ｃ）に示すように、処理対象として選択されていた「００４．ｘｌｓ」、「００５．ｊｐｇ」、「００６．ｐｄｆ」、「００７．ｄｏｃ」、「００８．ｄｏｃ」、及び「００９．ｄｏｃ」の６つの情報が処理対象として削除される。
【００４６】
一方、図４（Ａ）に示されている操作状態で、図４（Ｄ）に示すように携帯端末１０の右方向Ｒ２への振る動作が検出された場合には、操作表示部１３で選択されていた「００２．ｄｏｃ」よりも前記右方向Ｒ２に表示されている「００３．ｇｉｆ」、「００６．ｐｄｆ」、及び「００９．ｄｏｃ」の３つの情報が処理対象として選択された状態となる。
【００４７】
そして、図４（Ｄ）に示されている操作状態で、携帯端末１０の振る動作が検出された場合には、図４（Ｅ）に示すように、処理対象として選択されていた「００３．ｇｉｆ」、「００６．ｐｄｆ」、及び「００９．ｄｏｃ」の３つの情報が削除される。
【００４８】
［第４の実施形態］
また、制御部１１は、ステップＳ１３において、下記のように処理対象となる情報を選択することが考えられる。即ち、制御部１１は、ステップＳ１３において、操作表示部１３で検出されているタッチ操作で選択されている情報を除く他の情報を全て処理対象として選択することが考えられる。
【００４９】
具体的に、図５（Ａ）に示すように、操作表示部１３の候補表示領域１３１に表示されている、「００１．ｊｐｇ」、「００２．ｄｏｃ」、「００３．ｇｉｆ」、「００４．ｘｌｓ」、「００５．ｊｐｇ」、「００６．ｐｄｆ」、「００７．ｄｏｃ」、「００８．ｄｏｃ」、及び「００９．ｄｏｃ」の９つの情報のうち「００５．ｊｐｇ」の情報が、ユーザーによるタッチ操作で選択されている状態で携帯端末１０が振られた場合を考える。
【００５０】
この場合、図５（Ｂ）に示すように、制御部１１は、現在選択中の「００５．ｊｐｇ」を除く「００１．ｊｐｇ」、「００２．ｄｏｃ」、「００３．ｇｉｆ」、「００４．ｘｌｓ」、「００６．ｐｄｆ」、「００７．ｄｏｃ」、「００８．ｄｏｃ」、及び「００９．ｄｏｃ」の８つの情報を処理対象として選択する。
【００５１】
そして、図５（Ｂ）に示されている操作状態で、携帯端末１０の振る動作が検出された場合、制御部１１は、図５（Ｃ）に示すように、処理対象として選択されていた「００１．ｊｐｇ」、「００２．ｄｏｃ」、「００３．ｇｉｆ」、「００４．ｘｌｓ」、「００６．ｐｄｆ」、「００７．ｄｏｃ」、「００８．ｄｏｃ」、及び「００９．ｄｏｃ」の８つの情報を削除する。
【符号の説明】
【００５２】
１０：携帯端末
１１：制御部
１１１：動作検出部
１１２：表示処理部
１１３：選択処理部
１２：記憶部
１３：操作表示部
１４：通信部
１５：動作検出センサー
【図１】
2015228063.tif 000003
【図２】
2015228063.tif 000004
【図３】
2015228063.tif 000005
【図４】
2015228063.tif 000006
【図５】
2015228063.tif 000007